(57)【要約】  本発明は、第２の放射性同位体に崩壊する、ソースターム中の第１の放射性同位体の量を決定する方法に関し、放射性同位体はそれぞれ、ソースタームによって遮蔽される第１のガンマ線および第２のガンマ線を放射し、この方法は、ａ）遮蔽がない場合に放射される第１の放射線と第２の放射線との間のカウントの理論的な比を決定するステップと、ｂ）第１の放射性同位体および第２の放射性同位体によって放射される第１の放射線および第２の放射線に関連付けられている正味のカウントを測定するステップと、ｃ）ステップａ）で得られた比、およびステップｂ）で得られたカウントに基づき、ソースタームによる第１の放射線および第２の放射線の遮蔽率を決定するステップと、ｄ）ステップｃ）で決定された第１の放射線または第２の放射線のいずれかの遮蔽率に基づき、第１の放射性同位体の量を決定するステップとを含む。
2021508053.tif 000002
【特許請求の範囲】
【請求項１】
パッケージに収容されているソースタームの第１の放射性同位体の量を決定するための方法であって、前記第１の放射性同位体は、第１のガンマ線を放射することに適しており、第２のガンマ線も、前記第１の放射性同位体または前記ソースタームの第２の放射性同位体のいずれかによって放射されることに適しており、前記第１のガンマ線および前記第２のガンマ線は、各々異なる減衰率に従って、前記パッケージのマトリックスおよび前記ソースターム自体によって、減衰されることに適しており、前記方法は、
ａ）少なくとも１つのガンマ線検出器によって、前記パッケージに関する２つの正反対の位置に従って、放射される前記第１のガンマ線および前記第２のガンマ線に関連付けられている正味のカウントを測定するステップと、
ｂ）減衰がない場合に、ステップａ）の結果に基づき、前記第１のガンマ線および前記第２のガンマ線の前記カウントの比を知った上で、前記パッケージマトリックスによる前記第１のガンマ線および前記第２のガンマ線の前記減衰率を決定するステップと、
ｃ）ステップｃ）で決定される前記第１のガンマ線および前記第２のガンマ線のうちの一方または他方の前記減衰率に基づき、前記ソースタームに含まれる第１の放射性同位体の前記量、有利には質量を決定するステップと
を含む、方法。
【請求項２】
前記第２のガンマ線は、前記第２の放射性同位体によって放射され、前記方法は、減衰がない場合に前記第１の放射性同位体および前記第２の放射性同位体によって放射される前記第１のガンマ線と前記第２のガンマ線との間の理論的カウント比を決定するステップａ１）も含む、請求項１に記載の方法。
【請求項３】
前記第１のガンマ線および前記第２のガンマ線の前記放射比は、時間が経過しても安定している、請求項２に記載の方法。
【請求項４】
前記第２の放射性同位体は、前記第１の放射性同位体の放射性崩壊の結果である、請求項２または３に記載の方法。
【請求項５】
前記第２の放射性同位体の半減期Ｔ２は、前記第１の放射性同位体の半減期Ｔ１より実質的に短い、請求項２から４のいずれか一項に記載の方法。
【請求項６】
前記ソースタームは、前記第１の放射性同位体と同じ質量数の、第３の放射性同位体をさらに含み、前記第１の放射性同位体と前記第２の放射性同位体との間の同位体組成は知られている、請求項２から５のいずれか一項に記載の方法。
【請求項７】
前記方法は、前記同位体組成の決定を含む、請求項６に記載の方法。
【請求項８】
前記方法は、前記第１のガンマ線および前記第２のガンマ線のうちの一方または他方を計数するために、前記第１の放射性同位体および前記第２の放射性同位体のうちの一方または他方の変換係数ｃ／ｓ／ｇを決定するステップをさらに含む、請求項５または７に記載の方法。
【請求項９】
前記変換係数も、前記ソースタームに関する前記少なくとも１つのガンマ線検出器の距離Ｄに基づき決定される、請求項８に記載の方法。
【請求項１０】
前記第１のガンマ線および前記第２のガンマ線のうちの一方または他方の前記減衰率は、前記パッケージマトリックスの特徴を示すポリエチレンとウランとの混合物を含む同等のスクリーンを表し、前記同等のスクリーンは、スクリーン厚さと称される厚さ、およびポリエチレン含有量によって特徴付けられる、請求項１から９のいずれか一項に記載の方法。
【請求項１１】
ステップａ）は、前記ソースタームの第１の放射性同位体の前記量、有利には前記質量の２つの推定値がステップｃ）に従って取得されるように、２つのガンマ線検出器により実行される、請求項１から１０のいずれか一項に記載の方法。
【請求項１２】
前記２つの推定値の比が前記ガンマ線検出器に関する前記ソースタームのオフセットを伝えた後、前記推定値の平均値は、補正係数によって補正される、請求項１１に記載の方法。
【請求項１３】
前記第１の放射性同位体はプルトニウム２４１を含み、前記第２の放射性同位体はウラン２３７を含み、前記第３の放射性同位体はアメリシウム２４１を含む、請求項６と組み合わされた、請求項１から１２のいずれか一項に記載の方法。
【請求項１４】
請求項１から１３のいずれか一項に記載の、ソースタームに含まれる第１の放射性同位体の量を決定するための方法を実装することに適している測定デバイス（１０）であって、前記デバイスは、
−  少なくとも１つのガンマ線検出器（１３、１４）と、
−  前記ソースタームのドッキングステーション（１１）であって、スケール（１２）を備えているドッキングステーション（１１）と、
−  前記ガンマ線検出器によって捕集されたガンマ線のカウントを処理することが意図されているコンピュータであって、前記ガンマ線のカウントに基づき、前記ソースタームに含まれる第１の放射性同位体の前記量を決定することに適しているコンピュータプログラムも備えるコンピュータと
を備える、測定デバイス（１０）。
【発明の詳細な説明】
【技術分野】
【０００１】
本発明は、ソースターム（ｓｏｕｒｃｅ  ｔｅｒｍ）に含まれる第１の放射性同位体の量を決定するための方法に関する。特に、本発明は、第１の放射性同位体の質量を決定するためのガンマ線分光法測定を実装するものであり、第１の放射性同位体はプルトニウム２４１である。
【背景技術】
【０００２】
放射性廃棄物、および特に、放射性技術廃棄物のパッケージは、一般的に、放射性廃棄物を貯蔵することを目的としてバレル内に組み立てられる。
【０００３】
この技術的廃棄物は、原子力産業の工場およびプラント、たとえば、ウランおよび／またはプルトニウムなどの核物質を使用して核燃料を生産するための、特に「ＭＯＸ」（「混合酸化物」）燃料を生産するための工場の運転から得られる。したがって、そのような工場からの技術的廃棄物、たとえば、手袋、スリーブ、または有機ポリマーもしくはより具体的にはポリエチレンから作られ、グローブボックスで使用される他の任意の物体は、少量の残留プルトニウムおよび他の放射性同位体を含むことに適している。
【０００４】
また、バレル内に収容されている放射性同位体の質量および性質（放射能レベルおよび期間）に応じて、バレルは地表面または地下のいずれかに貯蔵される。地表面または地下にそれぞれ貯蔵され得る、放射性同位体が「少ない」バレルと放射性同位体が「豊富な」バレルとは、ある程度区別することが可能である。
【０００５】
地下貯蔵のコストは、地表面貯蔵に比べて著しく高いので、その放射性同位体含有量を最小にするためにバレル内の廃棄物パッケージの組み立てを最適化すること、したがって、何よりもまず、放射性同位体が「少ない」パッケージと「豊富な」パッケージとを区別することが勧められる。
【０００６】
次いで、中性子数測定は、廃棄物パッケージ内の放射性同位体、およびより具体的には残留プルトニウムの質量を評価するための最適な方法である。
【０００７】
しかしながら、このタイプの測定は十分ではない。
【０００８】
実際、許容できる精度を得るために、中性子測定は、パッケージ毎に比較的長い計数時間（少なくとも９００秒）を必要とする。その結果、パッケージの管理、およびそのバレル内への組み立ては、サイクル時間およびコストの両方に関して影響を受けることがわかる。
【０００９】
さらに、中性子数測定には費用がかかる。
【発明の概要】
【発明が解決しようとする課題】
【００１０】
したがって、本発明の目的は、廃棄物用バレルの設計および管理を最適化することに適している、特にパッケージに収容されている、放射性同位体の質量を評価する方法を提案することである。
【００１１】
本発明のさらなる目的は、従来技術から知られている方法に比べてコストが低い、放射性同位体の質量を評価するための方法を提案することである。
【課題を解決するための手段】
【００１２】
本発明の目的は、少なくとも一部は、パッケージに収容されているソースタームの第１の放射性同位体の量を決定するための方法であって、前記第１の放射性同位体は、第１のガンマ線を放射することに適しており、第２のガンマ線も、第１の放射性同位体またはソースタームの第２の放射性同位体のいずれかによって放射されることに適しており、第１のガンマ線および第２のガンマ線は、各々異なる減衰率に従って、パッケージのマトリックスおよびソースターム自体によって、減衰されることに適しており、この方法は、
ａ）少なくとも１つのガンマ線検出器によって、パッケージに関する２つの正反対の位置に従って、放射される第１のガンマ線および第２のガンマ線に関連付けられている正味のカウントを測定するステップと、
ｂ）減衰がない場合に、ステップａ）の結果に基づき、第１のガンマ線および第２のガンマ線のカウントの比を知った上で、パッケージマトリックスによる第１のガンマ線および第２のガンマ線の減衰率を決定するステップと、
ｃ）ステップｃ）で決定される第１のガンマ線および第２のガンマ線のうちの一方または他方の減衰率に基づき、ソースタームに含まれる第１の放射性同位体の量、有利には質量を決定するステップとを含む、方法によって達成される。
【００１３】
ステップｂ）の減衰がない場合の第１のガンマ線および第２のガンマ線の相対的カウントが理論的カウントであることは明らかである。
【００１４】
一実施形態によれば、第２のガンマ線は、第２の放射性同位体によって放射され、この方法は、減衰がない場合に第１の放射性同位体および第２の放射性同位体によって放射される第１のガンマ線と第２のガンマ線との間の理論的カウント比を決定するステップａ１）も含む。
【００１５】
そのようなステップａ１）を実行するには、測定の日付における同位体組成を知っている必要がある場合がある。
【００１６】
一実施形態によれば、第１のガンマ線および第２のガンマ線の放射比は、時間が経過しても安定している。
【００１７】
一実施形態によれば、注目している放射線は、同一の放射性元素から取得されてもよく、この場合、スクリーン（ｓｃｒｅｅｎ）がない場合の理論的カウント比は、時間が経過しても一定である。
【００１８】
一実施形態によれば、第２の放射性同位体は、第１の放射性同位体の放射性崩壊の結果である。
【００１９】
一実施形態によれば、第２の放射性同位体の半減期Ｔ２は、第１の放射性同位体の半減期Ｔ１より実質的に短い。
【００２０】
一実施形態によれば、ソースタームは、第１の放射性同位体と同じ質量数の、第３の放射性同位体をさらに含み、第１の放射性同位体と第２の放射性同位体との間の同位体組成は知られている。
【００２１】
一実施形態によれば、この方法は、同位体組成の決定を含む。
【００２２】
一実施形態によれば、この方法は、第１のガンマ線および第２のガンマ線のうちの一方または他方を計数するために、第１の放射性同位体および第２の放射性同位体のうちの一方または他方の変換係数ｃ／ｓ／ｇを決定するステップをさらに含む。
【００２３】
一実施形態によれば、変換係数も、ソースタームに関する少なくとも１つのガンマ線検出器の距離Ｄに基づき決定される。
【００２４】
一実施形態によれば、第１のガンマ線および第２のガンマ線のうちの一方または他方の減衰率は、パッケージマトリックスの特徴を示すポリエチレンとウランとの混合物を含む同等のスクリーンを表し、前記同等のスクリーンは、スクリーン厚さと称される厚さ、およびポリエチレン含有量によって特徴付けられる。
【００２５】
一実施形態によれば、ステップａ）は、ソースタームの第１の放射性同位体の量、有利には質量の２つの推定値がステップｃ）に従って取得されるように、２つのガンマ線検出器により実行される。
【００２６】
一実施形態によれば、２つの推定値の比がガンマ線検出器に関するソースタームのオフセットを伝えた後、前記推定値の平均値は、補正係数によって補正される。
【００２７】
一実施形態によれば、第１の放射性同位体はプルトニウム２４１を含み、第２の放射性同位体はウラン２３７を含み、第３の放射性同位体はアメリシウム２４１を含む。
【００２８】
本発明は、本発明による、ソースタームに含まれる第１の放射性同位体の量を決定するための方法を実行することに適している測定デバイスにも関し、このデバイスは、
−  少なくとも１つのガンマ線検出器と、
−  ソースタームのドッキングステーションであって、スケールを備えているドッキングステーションと、
−  ガンマ線検出器によって捕集されたガンマ線のカウントを処理することが意図されているコンピュータであって、ガンマ線のカウントに基づき、ソースタームに含まれる第１の放射性同位体の量を決定することに適しているコンピュータプログラムも備えるコンピュータとを備える。
【００２９】
添付の図面を参照しつつ、非限定的な例を用いて与えられる、本発明による、ソースタームに含まれる第１の放射性同位体の量を決定するための方法の下記の説明において、さらなる特徴および利点が示される。
【図面の簡単な説明】
【００３０】
【図１】本発明による、ソースタームの第１の放射性同位体の量を決定するために使用されることに適している測定デバイスを表す図である。
【図２】ガンマ放射線の長さ（横軸、単位ＫｅＶ）の関数としてポリエチレンおよびウランを含む混合物の減衰率（縦軸、単位ｃｍ−１）を表すグラフであり、特に、曲線Ａ、Ｂ、およびＣはそれぞれ、純粋ウラン、５０／５０ウラン−ポリエチレン混合物、および純粋ポリエチレンのガンマ放射線の減衰を表す、グラフである。
【図３】パッケージに含まれるソースターム、および補正係数を決定するための一例として用いられるガンマ線検出器を表す概略図である。
【発明を実施するための形態】
【００３１】
本発明は、パッケージに含まれるソースタームの第１の放射性同位体の量を推定するためのガンマ線分光法測定を実装する。
【００３２】
「ソースターム」とは、放射性生成物の性質および量を表す。
【００３３】
次いで、第１の放射性同位体の量または質量の推定は、第１の放射性同位体および第２の放射性同位体によってそれぞれ放射される２つのガンマ線の相対的強度の測定に基づいており、パッケージによって形成されるマトリックスによる前記ガンマ線の減衰率について補正される。
【００３４】
次いで、本発明は、特にプルトニウムおよびウラン酸化物の混合物で汚染されているポリエチレン対象物を収容する廃棄物パッケージ内に収容されるソースタームのプルトニウム２４１の質量を推定することに特に適している。
【００３５】
図１において、本発明の範囲内で使用されることに適しているデバイス１０を見ることができる。
【００３６】
次いで、測定デバイス１０は、パッケージの質量を測定することが意図されているスケール１２を任意選択的に装備するドッキングステーション１１を備える。
【００３７】
測定デバイス１０は、ソースタームを収容するパッケージによって放射されるガンマ放射線を測定するように構成され、ドッキングステーション１２上に位置決めされている、少なくとも１つのガンマ線検出器（ガンマ放射線検出器とも称される）、たとえば、２つのガンマ線検出器１３および１４も備える。
【００３８】
２つのガンマ線検出器１３および１４は、たとえば、ソースタームのいずれかの側に位置決めされる（言い換えると、パッケージに関して正反対の位置）。
【００３９】
次いで、ガンマ線検出器１３、１４は、複数のＣＺＴタイプの検出サブユニット（たとえば、４つのサブユニット）を備え得る。
【００４０】
測定デバイス１０は、コンピュータプログラムを含むコンピュータまたはコンピューティングデバイスも装備し得る。
【００４１】
次いで、コンピュータプログラムは、以下の説明において詳述される方法によりソースタームに含まれる第１の放射性同位体の量を決定するためにガンマ線検出器によって捕集されるガンマ放射線カウントを処理することが意図されている。
【００４２】
ソースタームは、パッケージ、または放射性元素によって汚染されている、特に第１の放射性同位体によって汚染されている放射性廃棄物のバレル内に含まれ得る。
【００４３】
汚染廃棄物は、たとえばポリエチレンに関する以下の説明に含まれる有機ポリマー材料から作られた手袋、スリーブ、または任意の他の廃棄物を含み得る。
【００４４】
したがって、パッケージは、有機ポリマー材料と放射性元素とが混合されているマトリックスを形成する。
【００４５】
本発明の第１の実施形態によれば、放射性元素は、特に第１の放射性同位体、および任意選択で、第２の放射性同位体を含み得る。
【００４６】
第１のガンマ線は、第１の放射性同位体によって放射される。
【００４７】
第２のガンマ線も、第１の放射性同位体、または第２の放射性同位体が考慮される場合には第２の放射性同位体のいずれかによって放射される。
【００４８】
以下の説明では、第２のガンマ線は、第２の放射性同位体によって放射されるものとして考慮される。当業者は、本明細書の説明に基づき、後者を単一の放射性同位体、この場合には第１の放射性同位体によって放射される第１のガンマ線および第２のガンマ線の場合に適合させることができる。
【００４９】
第１のガンマ線および第２のガンマ線のカウントは、検出器１３および１４によって実行される。
【００５０】
第２の放射性同位体は、第１の変換率（変換率は分岐因子「Γ」とも称される）に従う第１の放射性同位体の崩壊の結果であり得る。しかしながら、本発明の範囲は、この態様に限定されてはならず、無関係の第１の放射性同位体および第２の放射性同位が考慮され得る。
【００５１】
任意選択で、放射性廃棄物は、少なくとも第３の放射性同位体、特に、第１の放射性同位体と同じ質量数の第３の放射性同位体も含み得る。したがって、第１の放射性同位体および第３の放射性同位体は、以下の説明において「同位体組成」と称されるそれぞれの質量比率が第１の放射性同位体の量を決定するための方法の実装のために知られていると仮定される混合物を形成する。
【００５２】
第１の放射性同位体および第３の放射性同位体からなる混合物の同位体組成は、前記放射性同位体の放射性崩壊の法則を適用し、混合物の存続時間を考慮することによって決定され得る。
【００５３】
以下の説明において、放射性元素は、第１の放射性同位、第２の放射性同位体、および第３の放射性同位体を含むこと、第１の放射性同位と第３の放射性同位体との間の同位体組成が知られていることが受け入れられる。しかしながら、本発明の実施形態は、第３の同位体の存在を必ずしも暗示するとは限らない。
【００５４】
たとえば、第１の放射性同位体は、１４８ＫｅＶの第１のガンマ線を放射するプルトニウム２４１であるが、第１の放射性同位体の崩壊αによって得られる、第２の放射性同位体は、その一方で、２０８ＫｅＶの第２のガンマ線を放射する、ウラン２３７である。この例では、プルトニウム２４１は、βタイプの放射線を放出することによって、第３の放射性同位体を形成するアメリシウム２４１に崩壊する。
【００５５】
ガンマ線検出器によって捕集される第１のガンマ線および第２のガンマ線のカウントは、理論的にソースタームに含まれる第１の放射性同位体の量を推定することを可能にする。
【００５６】
しかしながら、カウントは、一般的に、パッケージマトリックスによって、またソースタームの質量および幾何学的形状に依存する変化する自己吸収現象によって減衰する。言い換えると、パッケージは全体として（マトリックスおよびソースターム）は、減衰率によって、ガンマ放射線波長の各々について特徴付けられるガンマ放射線スクリーンを形成する。
【００５７】
また、特に有利には、それぞれ第１の遮蔽率（ｓｃｒｅｅｎｉｎｇ  ｒａｔｅ）および第２の遮蔽率と称される、第１のガンマ線および第２のガンマ線の減衰率は異なる。
【００５８】
この点に関して、図２は、ポリエチレンおよびウランからなる混合物に対するガンマ放射線の減衰率を表すグラフである。特に、図２における位置１および位置２はそれぞれ、異なる第１のガンマ線および第２のガンマ線の所与のスクリーンに対する減衰率を示している。したがって、ポリエチレンおよびウランの密度、さらにはそれぞれの第１のガンマ線吸収係数および第２のガンマ線吸収係数がわかれば、ポリエチレンおよびウランのそれぞれの比率ならびにスクリーン厚さに従って前記ガンマ線の減衰率を確定することが可能である。
【００５９】
そこで、本発明による方法は、遮蔽がない場合に第１の放射性同位体および第２の放射性同位体によって放射される第１のガンマ線と第２のガンマ線との間の理論的カウント比を決定するステップａ１）を含む。
【００６０】
カウントは、検出器のレベルにおける理論的カウントであり、注目しているエネルギーにおける検出器の効率、検出サブユニットの数、それだけでなく同位体組成にも、
−  第３の放射性同位体が考慮され、
−  および／または考慮される放射線が、無関係の２つの放射性元素から得られた
後に、関わることは理解される。
【００６１】
特に、検出サブユニットの効率および数により、第１のガンマ線および第２のガンマ線のうちの一方および／または他方に対する、第１の放射性同位体に関連する変換係数ｃ／ｓ／ｇを決定することが可能になる。
【００６２】
「変換係数ｃ／ｓ／ｇ」は、単位時間および第１の放射性同位体の単位質量（したがってソースタームの単位質量）当たりの所与のガンマ線のカウントの数を計数する係数を表す。
【００６３】
その結果、第１のガンマ線および第２のガンマ線のうちの一方または他方の補正されたカウントが知られた後、第１の放射性同位体の質量は、第１のガンマ線および第２のガンマ線のうちの一方または他方の補正されたカウントを、注目するガンマ線の変換係数ｃ／ｓ／ｇおよびガンマ線検出器による測定時間で除算したものに対応する。
【００６４】
「補正されたガンマ線のカウント」は、スクリーンがない場合に検出器によって返されるであろうカウントの数を表す。言い換えると、補正されたカウントは、スクリーンによるいかなる減衰も考慮していない。
【００６５】
本発明の説明の残り部分は、第２のガンマ線の場合に限られる。
【００６６】
第１の放射性同位体および第２の放射性同位体の相対的比率を知ることで、第１のガンマ線および第２のガンマ線の、遮蔽がない場合の単位時間当たりおよび単位質量当たりの理論的カウントに重みを付けることが可能である。
【００６７】
次いで、第１の放射性同位体および第２の放射性同位体の相対的比率は、たとえば、それぞれ、第１の放射性同位体および第２の放射性同位体の半減期Ｔ１およびＴ２を伴う放射性崩壊の法則を適用することによってアクセス可能である。
【００６８】
有利には、第１の放射性同位体と第２の放射性同位体との間の関係があり、娘の放射性期間が実質的に親の放射性期間より実質的に短いと、その放射能量は類似しており、その場合理論的カウント比は時間が経過しても一定である。
【００６９】
本発明による方法は、また、少なくとも１つのガンマ線検出器によって、ソースタームに含まれる第１の放射性同位体および第２の放射性同位体によってそれぞれ放射される第１のガンマ線および第２のガンマ線に関連付けられている正味カウントを測定するステップａ）も含む。測定は、有利には、パッケージに関して２つの正反対の位置に従って実行される。
【００７０】
第１のガンマ線および第２のガンマ線に関連付けられている正味カウントは実際の減衰したカウントに対応することは理解される。
【００７１】
有利には、ステップａ）では、２つの検出器１３および１４を使用する。
【００７２】
測定は、たとえば、４５秒から６０秒の間、特に４５秒の所定の捕集時間内のガンマ放射線の捕集を含み得る。
【００７３】
正味カウントは、バックグラウンドノイズから推論される総カウントに基づき取得され、実際にはガンマ線検出によって測定され、前記ガンマ線検出器がガンマ放射線をその容量の最大値まで捕集しないアイドル時間に対して調整され得る。
【００７４】
ステップａ）は、第２のガンマ線および第１のガンマ線の正味カウントの比を計算することも含み得る。
【００７５】
次いで、ステップａ）の後に、ソースタームのマトリックスによって第１のガンマ線および第２のガンマ線の減衰比を決定するステップｂ）が続く。
【００７６】
この点で、ステップａ）で測定された、正味カウント比により、マトリックスによって形成されるスクリーンの減衰率を決定することが可能になる。
【００７７】
この操作は、コンピュータプログラムレベルで自動化されてよく、パラメータを使用して図２のグラフを確定する。
【００７８】
次いで、前記パラメータは、ポリエチレン、ウランのそれぞれの密度、第１のガンマ線および第２のガンマ線のそれぞれのエネルギーにおけるウランおよびポリエチレンの吸収係数を含む。
【００７９】
コンピュータプログラムは、反復法を用い、第１のガンマ線および第２のガンマ線の正味カウントの比に基づき、スクリーンのポリエチレン含有量（パーセンテージとして）、スクリーンの厚さ、および注目している２つのガンマ線の各々に対する減衰率を決定することを可能にする数学的解法を含み得る。
【００８０】
当業者に知られている数学的解析ステップは、本発明では説明されない。
【００８１】
さらに、決定された減衰率による第２のガンマ線の正味カウントの比により、上で定義されている前記第２のガンマ線の補正されたカウントにアクセスすることが可能になる。
【００８２】
最後に、本発明による方法は、ソースタームに含まれる第１の放射性同位体の質量を決定するステップｃ）を含む。
【００８３】
このステップｃ）は、第２のガンマ線に関連付けられている補正されたカウントを最初に計算することを含み得る。たとえば、第２のガンマ線の補正されたカウント（同等のスクリーンによる減衰に対する）は、検出器による前記第２のガンマ線の正味カウントをスクリーンによって加えられる減衰で除算した（注目しているエネルギーにおける減衰率で除算した）ものに対応する。
【００８４】
したがって、ソースタームに含まれる第１の放射性同位体の質量は、次いで、第２のガンマ線に関連付けられている補正されたカウントを測定時間および変換係数ｃ／ｓ／ｇによって形成される積で除算することによって決定される。
【００８５】
かさばったパッケージの場合、主「ホット」スポットは、前記ソースタームに対してオフセットされ、第１のガンマ線および第２のガンマ線のカウント推定誤差を生成し得る。
【００８６】
『主「ホット」スポット』は、ソースタームの最も放射能の高いゾーンを表す。
【００８７】
また、この方法で２つのガンマ線検出器１３および１４を使用した後、第２のガンマ線のカウントの２つの推定値が得られる。これら２つの推定値の比の１に対する偏差は、主ホットスポットのオフセットを伝える。
【００８８】
この問題を解決するために、解決法は、検出器の各々に対する第１の放射性同位体の質量の推定値の比による平均推定質量値の補正表を含む。
【００８９】
この点に関して、次の表は、補正係数を決定するための方法を示している。この例では、本明細書においては局在化されていると考えられる、ソースタームは、１００カウントを放射すると仮定され、２つのガンマ線検出器は、ソースターム１５の両方の側に対称的に、軸ＸＸ’に沿って整列するように配設される（図３）。
【００９０】
【表１】
2021508053.tif 000003
【００９１】
「オフセットｃｍ」列は、ソースターム１５の中心に対する主ホットスポットのオフセットに対応する。
【００９２】
「ｄ０°」列および「ｄ１８０°」列は、ガンマ線検出器に関する主ホットスポットの距離に対応する。
【００９３】
「最小値」列および「最大値」列は、それぞれ、ガンマ線検出器の各々の実際のカウントに対応する。「平均値」列および「Ｃ比」列は、それぞれ、「最小値」列および「最大値」列の平均値および比である。
【００９４】
「係数」列は、「平均値」列および補正されたカウント（この場合には１００カウント）のデータの比であり、２つのガンマ線検出器の推定値の比が主ホットスポットのオフセットを伝えた後に適用されるべき補正係数に対応する。
【００９５】
オフセット推定値では、たとえば、ソース線形（ｓｏｕｒｃｅ  ｌｉｎｅａｒ）を考慮して、当業者が、その一般的知識に用いて、実行することができるさらなるモデルも使用し得る。
【００９６】
次いで、本発明では、妥当な回数内で、ソースタームに含まれる第１の放射性同位体の質量を測定することが可能である。
【００９７】
そこで、この測定回数は、放射線への被検体の曝露を制限するが、廃棄物バレル内のソースタームの管理および組み立てに要するサイクル時間を短縮することを可能にする。
【００９８】
本発明は、ソースタームに含まれる第１の放射性同位体の量を決定することに適している測定デバイス１０にも関し、このデバイスは、
−  少なくとも２つのガンマ線検出器１３および１４と、
−  ソースタームのドッキングステーション１１であって、スケール１２を備えているドッキングステーション１１と、
−  ガンマ線検出器によって捕集されたガンマ線のカウントを処理することが意図されているコンピュータ１５であって、ガンマ線のカウントに基づき、ソースタームに含まれる第１の放射性同位体の量を決定することに適しているコンピュータプログラムも備えるコンピュータ１５とを備える。
【符号の説明】
【００９９】
１０  測定デバイス
１１  ドッキングステーション
１２  スケール
１３、１４  ガンマ線検出器
【図１】
2021508053.tif 000004
【図２】
2021508053.tif 000005
【図３】
2021508053.tif 000006
【国際調査報告】
2021508053.tif 000007
2021508053.tif 000008
2021508053.tif 000009
2021508053.tif 000010
2021508053.tif 000011
2021508053.tif 000012